(57)【要約】      （修正有）【課題】画面の切り替えによる煩わしさを軽減させることができる商品情報処理装置を提供する。【解決手段】商品に関する情報を処理する商品情報処理装置であって、少なくとも商品の商品名を表示する第１画面を配置する第１表示領域Ｒ１と、第１画面に商品名が表示されている商品に関する事項を表示する複数種類の第２画面のうちのいずれかを選択可能に配置する第２表示領域Ｒ２とを有する表示部を備える。第１画面に表示された商品が異なる商品に変更されたときに第２表示領域Ｒ２に配置する複数種類のうちのいずれかの第２画面に遷移するかを設定する設定手段を備える。【選択図】図２
2015152967.tif 000002
【特許請求の範囲】
【請求項１】
商品に関する情報を処理する商品情報処理装置であって、
少なくとも商品の商品名を表示する第１画面を配置する第１表示領域と、前記第１画面に商品名が表示されている商品に関する事項を表示する複数種類の第２画面のうちのいずれかを選択可能に配置する第２表示領域とを有する表示部と、
前記第１画面に表示された商品が異なる商品に変更されたときに前記第２表示領域に配置する複数種類のうちのいずれかの前記第２画面に遷移するかを設定する設定手段と、
を備えることを特徴とする商品情報処理装置。
【請求項２】
前記第２表示領域には、前記複数種類の第２画面それぞれに対応する複数の選択手段が配置され、
前記複数の選択手段は、個々の前記第２画面を表示するために選択されるボタンであり、かつ、遷移先の前記第２画面を選択するためのボタンであり、
前記設定手段は、前記選択手段によって選択された前記第２画面を遷移先の前記第２画面に設定することを特徴とする請求項１に記載の商品情報処理装置。
【請求項３】
前記選択手段は、前記第１画面に商品情報が表示されている場合には前記第２画面を表示するために選択されるボタンとして機能し、前記第１画面に商品情報が表示されていない場合には遷移先の前記第２画面を設定するためのボタンとして機能することを特徴とする請求項２に記載の商品情報処理装置。
【請求項４】
ラベルを発行する発行手段を有し、
前記第１画面には、少なくとも商品の品名及び値段が表示され、前記複数種類の第２画面のいずれかには、発行するラベルのイメージデータが表示されることを特徴とする請求項１〜３に記載の商品情報処理装置。
【請求項５】
ラベルを発行する発行手段を有し、
前記設定手段は、発行するラベルのイメージデータが表示される前記第２画面を、遷移先の画面に設定することを特徴とする請求項１〜４のいずれか１項に記載の商品情報処理装置。
【請求項６】
前記表示部の表示を制御する表示制御手段をさらに備え、
前記表示制御手段は、前記複数の選択手段のいずれかに対して所定の動作が行われると、前記複数の選択手段全ての機能の説明を、前記複数の選択手段それぞれの近傍に表示することを特徴とする請求項２〜５のいずれか１項に記載の商品情報処理装置。
【発明の詳細な説明】
【技術分野】
【０００１】
本発明は、商品情報処理装置に関する。
【背景技術】
【０００２】
従来、画面に表示されたプリセットキーから商品を選択し、選択された商品に関するラベルを発行するラベルプリンタが知られている（例えば、特許文献１参照。）
【先行技術文献】
【特許文献】
【０００３】
【特許文献１】特開２００２−１４５２３１号公報
【発明の概要】
【発明が解決しようとする課題】
【０００４】
しかしながら、上述したようなラベルプリンタでは、画面を切り替えるキーが押下された際に次ページにて、他の商品を選択できない、あるいは、選択できたとしても次ページ上のプリセットキーに対応する商品からしか商品を選択することができないので、操作性が悪いという問題があった。
【０００５】
上記事情に鑑み、本発明は、画面の切り替えによる煩わしさを軽減させる技術の提供を目的としている。
【課題を解決するための手段】
【０００６】
本発明の一態様は、商品に関する情報を処理する商品情報処理装置であって、少なくとも商品の商品名を表示する第１画面を配置する第１表示領域と、前記第１画面に商品名が表示されている商品に関する事項を表示する複数種類の第２画面のうちのいずれかを選択可能に配置する第２表示領域とを有する表示部と、前記第１画面に表示された商品が異なる商品に変更されたときに前記第２表示領域に配置する複数種類のうちのいずれかの前記第２画面に遷移するかを設定する設定手段と、を備えることを特徴とする商品情報処理装置である。
【０００７】
上記の商品情報処理装置は、第１画面に表示された商品名が変更されたときに第２表示領域に配置させる第２画面を特定の画面として設定することができる。そのため、画面の切り替えによる煩わしさを軽減させることが可能になる。
【０００８】
本発明の一態様は、上記の商品情報処理装置であって、前記第２表示領域には、前記複数種類の第２画面それぞれに対応する複数の選択手段が配置され、前記複数の選択手段は、個々の前記第２画面を表示するために選択されるボタンであり、かつ、遷移先の前記第２画面を選択するためのボタンであり、前記設定手段は、前記選択手段によって選択された前記第２画面を遷移先の前記第２画面に設定することを特徴とする。
【０００９】
上記の商品情報処理装置では、第２画面を選択するためのボタンと、商品が異なる商品に変更された場合に遷移する第２画面を選択するためのボタンとが同じボタンである。そのため、容易に遷移先の画面を設定することが可能になる。
【００１０】
本発明の一態様は、上記の商品情報処理装置であって、前記選択手段は、前記第１画面に商品情報が表示されている場合には前記第２画面を表示するために選択されるボタンとして機能し、前記第１画面に商品情報が表示されていない場合には遷移先の前記第２画面を設定するためのボタンとして機能することを特徴とする。
【００１１】
上記の商品情報処理装置では、第１画面に商品情報が表示されている場合には、選択手段を第２画面の切り替えボタンとして使用することができ、第１画面に商品情報が表示されていない場合には、選択手段を初期表示画面の選択ボタンとして使用することができる。そのため、選択手段の利便性を向上させることが可能になる。
【００１２】
本発明の一態様は、上記の商品情報処理装置であって、ラベルを発行する発行手段を有し、前記第１画面には、少なくとも商品の品名及び値段が表示され、前記複数種類の第２画面のいずれかには、発行するラベルのイメージデータが表示されることを特徴とする。
【００１３】
上記の商品情報処理装置では、商品の情報と、発行されるラベルのイメージデータとが同一の画面で表示される画面があるため、従業員は容易に１つの画面で商品情報とイメージデータを確認することが可能になる。
【００１４】
本発明の一態様は、上記の商品情報処理装置であって、ラベルを発行する発行手段を有し、前記設定手段は、発行するラベルのイメージデータが表示される前記第２画面を、遷移先の画面に設定することを特徴とする。
【００１５】
上記の商品情報処理装置では、商品の情報と、発行されるラベルのイメージデータとが同一の画面で表示される画面を遷移先の画面に設定するため、商品の情報が変更された場合であっても従業員は容易に１つの画面で商品情報とイメージデータを確認することが可能になる。
【００１６】
本発明の一態様は、上記の商品情報処理装置であって、前記表示部の表示を制御する表示制御手段をさらに備え、前記表示制御手段は、前記複数の選択手段のいずれかに対して所定の動作が行われると、前記複数の選択手段全ての機能の説明を、前記複数の選択手段それぞれの近傍に表示することを特徴とする。
【００１７】
上記の商品情報処理装置では、複数種類ある第２画面を切り替えるための選択手段全ての説明が１つの選択手段を押下することで表示される。そのため、従業員は容易に選択手段全ての機能の内容を確認することが可能になる。
【発明の効果】
【００１８】
本発明により、画面の切り替えによる煩わしさを軽減させることが可能となる。
【図面の簡単な説明】
【００１９】
【図１】本発明の実施形態におけるラベル発行装置（商品情報処理装置）１００の構成を示す概略ブロック図である。
【図２】表示部１０４に表示される表示例を示す図である。
【図３】表示部１０４に表示される表示例を示す図である。
【図４】表示部１０４に表示される表示例を示す図である。
【図５】本発明における画面切り替えの処理の流れを示すフローチャートである。
【発明を実施するための形態】
【００２０】
以下、本発明の一実施形態を、図面を参照しながら説明する。
図１は、本実施形態におけるラベル発行装置（商品情報処理装置）１００の構成を示す概略ブロック図である。
ラベル発行装置１００は、商品に貼付されるラベルを印字し発行する装置である。ラベル発行装置１００は、ＣＰＵ（Central Processing Unit）１０１と、ＲＯＭ（Read Only Memory）１０２と、ＲＡＭ（Random Access Memory）１０３と、表示部１０４と、操作部１０５と、印刷部１０６とを備える。上記のラベル発行装置１００の各機能部は、バス１を介して互いに接続されている。
【００２１】
ＣＰＵ１０１は、中央演算処理装置であり、ＲＯＭ１０２に記憶されているプログラムを読み出してＲＡＭ１０３に展開する。ＣＰＵ１０１は、展開したプログラムの各ステップを実行することによって、ラベル発行装置１００全体の動作を制御する。ＣＰＵ１０１は、種々の処理を行う。ＣＰＵ１０１が行う処理については後述する。
【００２２】
ＲＯＭ１０２は、読み出し専用のメモリであり、ラベル発行装置１００を動作させるためのプログラムを予め記憶する。
ＲＡＭ１０３は、種々の情報を記憶する読み出し書き込みメモリである。ＲＡＭ１０３には、ＲＯＭ１０２から読み出されたプログラムが展開される。また、ＲＡＭ１０３は、プログラムが実行されることによって生成された各種データ（例えば、ラベルフォーマットファイルや商品マスタファイルなど）を記憶する。商品マスタファイルには、商品ごとに、各商品を識別する品番、商品名、値段、重さ、単価等の各値が記憶されている。また、ラベルフォーマットファイルには、ラベル毎のラベルサイズや、各ラベルにおける各印字項目の位置や、印字する文字の大きさ等の各値が記憶されている。そして、商品マスタファイルにおける各商品と、ラベルフォーマットファイルにおける使用するラベルフォーマット情報とはリンク付けされており、正しい大きさ、位置にて当該商品のラベルを発行することができる。
【００２３】
表示部１０４は、ＣＲＴ（Cathode Ray Tube）ディスプレイ、液晶ディスプレイ、有機ＥＬ（Electro Luminescence）ディスプレイ等の画像表示装置である。表示部１０４は、モード切替、設定、登録等の操作の受付と表示とを行う。表示部１０４の表示面には、透明な接点スイッチであるタッチキー（ソフトキー）が設けられているタッチパネルが備えられており、店員の操作に応じて商品に関する情報（以下、「商品情報」という。）を表示する。商品情報は、例えば商品名、値段、重さ、単価などの情報であり、商品ファイルが参照され、表示部１０４には必要な情報が表示される。
【００２４】
また、表示部１０４は、商品情報のうち少なくとも商品の商品名及び値段を表示する第１画面を配置する第１表示領域と、第１画面に商品名が表示されている商品に関する事項を表示する複数種類の第２画面のうちのいずれかを選択可能に配置する第２表示領域とを有する。ただし、ラベル発行装置１００の設定を変更するための画面（以下、「機能設定画面」という。）が表示部１０４に表示されている場合、第１画面に商品情報は表示されない。商品に関する事項とは、例えば商品情報や商品に貼付されるラベルの発行や各種設定（例えば、商品が梱包されるパック数や内容量の単位など）などである。
【００２５】
操作部１０５は、キーボード、ポインティングデバイス（マウス、タブレット等）、ボタン、タッチパネル等の既存の入力装置を用いて構成される。操作部１０５は、ラベル発行装置１００を動作させるための操作手段を備える。操作手段は、例えば、商品登録の完了を宣言する完了キー（例えば、小計キーなど）、訂正キー、プリセットキー、数字キー、現計キー、設定変更キー、ラベル発行キーなどである。なお、これら操作部１０５の操作手段は、メカキー（ハードキー）などのボタンとして配置されていてもよいし、表示部１０４の表示面上に設けられたタッチパネルに配置されてもよい。
印刷部１０６は、従業員の操作（ラベル発行キーの押下）に応じて印刷物を発行する。例えば、印刷部１０６は、表示部１０４の第１画面に表示されている商品情報をＲＡＭ１０３に記憶されているラベルフォーマットに当てはめ、ラベルとして発行する。
【００２６】
次に、ラベル発行装置１００のＣＰＵ１０１の動作の一例について説明する。
ＣＰＵ１０１（切り替え手段）は、第２画面を切り替える。具体的には、ＣＰＵ１０１は、第１画面に表示された商品に対応する品番が変更されたとき、すなわち、商品が異なる商品に変更されたときに第２表示領域に表示されている第２画面を、予め設定された画面（以下、「初期表示画面」という。）に切り替える。初期表示画面は、複数種類の第２画面のうちのいずれかの画面である。初期表示画面は、従業員によって適宜設定変更される。
ＣＰＵ１０１（設定手段）は、第１画面に表示された商品が異なる商品に変更されたときに第２表示領域に配置する複数種類のうちのいずれかの第２画面に遷移するかを設定する。具体的には、ＣＰＵ１０１（設定手段）は、複数種類のうちのいずれかの第２画面を初期表示画面に設定する。初期表示画面の設定処理についての説明は後述する。
ＣＰＵ１０１（表示制御手段）は、表示部１０４の表示を制御する。ＣＰＵ１０１（表示制御手段）の処理については後述する。
【００２７】
図２〜図４は、ラベル発行装置１００の表示部１０４に表示される表示例を示す図である。
図２は、ラベルを発行するときに表示される発行モードの表示画面の一例である。図２（Ａ）〜図２（Ｄ）に示されるように、表示部１０４は第１画面を配置するための第１表示領域Ｒ１と第２画面を配置するための第２表示領域Ｒ２とを有する。図２（Ａ）〜図２（Ｄ）に示されるように、第１表示領域Ｒ１に表示される第１画面には商品情報が表示され、第２表示領域Ｒ２に表示される第２画面には商品に関する事項の他に、第２表示領域Ｒ２に表示させる第２画面を選択するための画面切り替え領域Ｒ３が表示される。画面切り替え領域Ｒ３には、複数の選択タブ１０（図２では、１０−１〜１０−７）（選択手段）及び上下ボタン２０が表示される。
【００２８】
選択タブ１０は、第２表示領域Ｒ２に表示する第２画面を選択するタブである。選択タブ１０の夫々は、第２表示領域Ｒ２に表示される複数種類の第２画面のうちの何れかに対応付けられている。ＣＰＵ１０１は、押下状態（押下された状態）である選択タブ１０に対応する第２画面を第２表示領域Ｒ２に表示する。したがって、従業員が選択タブ１０のいずれかを押下した場合、ＣＰＵ１０１は押下された選択タブ１０に対応する第２画面を第２表示領域Ｒ２に表示させる。例えば、図２（Ａ）に示すように、選択タブ１０−１に対応する第２画面が表示されている場合に、従業員が選択タブ１０−２を押下すると、ＣＰＵ１０１は図２（Ｂ）に示すように選択タブ１０−２に対応する第２画面を表示する。つまり、ＣＰＵ１０１は、従業員によって押下された選択タブ１０−２に対応する第２画面に切り替える。
【００２９】
また、ＣＰＵ１０１（表示制御手段）は、選択タブ１０のいずれかが長押しされた場合、選択タブ１０全ての機能の説明を、それぞれ対応する選択タブ１０の近傍（例えば、左横）に表示させる。例えば、図２（Ａ）に示す選択タブ１０−１〜１０−６のいずれかが長押しされた場合、ＣＰＵ１０１は選択タブ１０−１〜１０−６の全ての機能の説明を、それぞれ対応する選択タブ１０−１〜１０−６の近傍（例えば、左側）に表示させる。選択タブ１０は、第２表示領域Ｒ２に表示する第２画面にそれぞれ対応付けられているため、各選択タブ１０の機能の説明として、それぞれ押下状態である場合に第２表示領域Ｒ２に表示される第２画面についての説明が表示される。例えば、１つの選択タブ１０に対応付けられている第２画面がラベルを発行するための画面であった場合、当該選択タブ１０の横にラベル発行画面であることを示す文字列（例えば、“ラベル”というような文字列）が表示される。
【００３０】
上下ボタン２０は、押下状態となる選択タブ１０を切り替えるボタンである。ＣＰＵ１０１は、上下ボタン２０が押下された場合には、押下状態となる選択タブ１０を切り替える。また、ＣＰＵ１０１は、選択タブ１０の押下状態の切り替えに応じて第２画面を切り替える。つまり、上下ボタン２０は、選択タブ１０と同様、第２画面の切り替えの際に使用される。例えば、図２（Ａ）に示すように、選択タブ１０−１が押下状態であって選択タブ１０−１に対応する第２画面が第２表示領域Ｒ２に表示されているときに、従業員が上下ボタン２０の下ボタン（図２では、“▽”ボタン）を押下すると、図２（Ｂ）に示すように、ＣＰＵ１０１は選択タブ１０−１に代えて選択タブ１０−１の１つ下に配置した選択タブ１０−２を押下状態に切り替えるとともに、第２表示領域Ｒ２に表示する第２画面を、選択タブ１０−１に対応する第２画面から選択タブ１０−２に対応する第２画面に切り替える。
以上のように、２つの方法により第２表示領域Ｒ２に表示させる第２画面の切り替えが行われる。なお、第２画面の切り替えが行われた場合であっても、第１画面の切り替えは行われない。以下、図２（Ａ）〜図２（Ｄ）を用いて詳細に説明する。
【００３１】
図２（Ａ）は、ラベル発行のための設定画面の具体例を表す図である。図２（Ａ）に示される設定画面は、選択タブ１０−１が押下された場合に第２表示領域Ｒ２に表示される。図２（Ａ）に示される例では、第１画面には商品名として“牛ロース”が表示されている。また、第２画面には、ラベル発行のための各種設定に使用されるボタン、発行されるラベルのイメージデータ、選択タブ１０−１〜１０−６及び上下ボタン２０が表示されている。また、画面切り替え領域Ｒ３には、選択タブ１０−１が押下状態であることを示し、他の選択タブ１０（図２（Ａ）では、選択タブ１０−２〜１０−６）が押下状態ではないことを示すように選択タブ１０−１が選択タブ１０−２〜１０−６と異なる表示態様で表されている。ここで、従業員が選択タブ１０−２又は上下ボタン２０の下ボタンを押下した場合、ＣＰＵ１０１は選択タブ１０−１に代えて選択タブ１０−２を押下状態に切り替えるとともに、第２表示領域Ｒ２に表示する第２画面を、選択タブ１０−１に対応する第２画面から選択タブ１０−２に対応する第２画面に切り替える。つまり、ＣＰＵ１０１は、第２表示領域Ｒ２に表示させる第２画面を、図２（Ａ）の第２画面から図２（Ｂ）の第２画面に切り替える。
【００３２】
図２（Ｂ）は、プリセット画面の具体例を表す図である。プリセット画面とは、予め商品情報が紐づけられて登録されているプリセットキーが表示される画面である。図２（Ｂ）に示されるように、図２（Ａ）の設定画面からの切り替えにより第２表示領域Ｒ２に表示される第２画面の商品に関する事項の情報は変更されているが、第１画面に表示されている商品情報の変更は行われない。また、画面切り替え領域Ｒ３には、選択タブ１０−２が押下状態であることを示し、他の選択タブ１０（図２（Ｂ）では、選択タブ１０−１及び１０−３〜１０−６）が押下状態ではないことを示すように選択タブ１０−２が選択タブ１０−１及び１０−３〜１０−６と異なる表示態様で表されている。ここで、従業員が選択タブ１０−３又は上下ボタン２０の下ボタンを押下した場合、ＣＰＵ１０１は選択タブ１０−２に代えて選択タブ１０−３を押下状態に切り替えるとともに、第２表示領域Ｒ２に表示する第２画面を、選択タブ１０−２に対応する第２画面から選択タブ１０−３に対応する第２画面に切り替える。つまり、ＣＰＵ１０１は、第２表示領域Ｒ２に表示させる第２画面を、図２（Ｂ）の第２画面から図２（Ｃ）の第２画面に切り替える。
【００３３】
図２（Ｃ）は、ラベルのプレビュー画面の具体例を表す図である。図２（Ｃ）に示されるように、図２（Ｂ）のプリセット画面からの切り替えにより第２表示領域Ｒ２に表示される第２画面の商品に関する事項の情報は変更されているが、第１画面に表示されている商品情報の変更は行われない。また、画面切り替え領域Ｒ３には、選択タブ１０−３が押下状態であることを示し、他の選択タブ１０（図２（Ｃ）では、選択タブ１０−１、１０−２及び１０−４〜１０−６）が押下状態ではないことを示すように選択タブ１０−３が選択タブ１０−１、１０−２及び１０−４〜１０−６と異なる表示態様で表されている。ここで、従業員が選択タブ１０−５を押下した場合、ＣＰＵ１０１は選択タブ１０−３に代えて選択タブ１０−６を押下状態に切り替えるとともに、第２表示領域Ｒ２に表示する第２画面を、選択タブ１０−３に対応する第２画面から選択タブ１０−６に対応する第２画面に切り替える。つまり、ＣＰＵ１０１は、第２表示領域Ｒ２に表示させる第２画面を、図２（Ｃ）の第２画面から図２（Ｄ）の第２画面に切り替える。
【００３４】
図２（Ｄ）は、ラベルの発行開始画面の具体例を表す図である。図２（Ｄ）に示されるように、図２（Ｃ）からプレビュー画面からの切り替えにより第２表示領域Ｒ２に表示される第２画面の商品に関する事項の情報は変更されているが、第１画面に表示されている商品情報の変更は行われない。ここで、また、図２（Ｄ）に示されるように、画面切り替え領域Ｒ３に選択タブ１０−１の表示が消えた代わりに選択タブ１０−７が表示されている。また、画面切り替え領域Ｒ３には、選択タブ１０−６が押下状態であることを示し、他の選択タブ１０（図２（Ｄ）では、選択タブ１０−２〜１０−５及び１０−７）が押下状態ではないことを示すように選択タブ１０−６が選択タブ１０−２〜１０−５及び１０−７と異なる表示態様で表されている。
【００３５】
図２（Ａ）〜図２（Ｄ）を用いて説明したように、本発明のラベル発行装置１００は、第２画面に表示されている選択タブ１０のいずれかが押下された場合、又は、上下ボタン２０が押下された場合には第２表示領域Ｒ２に表示される第２画面の変更は行われるが、第１画面に表示されている商品情報の変更は行われない。つまり、第１画面に商品情報が表示されている場合、選択タブ１０は第２表示領域Ｒ２に表示される第２画面を表示するために選択されるボタンとして機能する。
また、本発明のラベル発行装置１００は、第１画面に表示されている商品情報の変更が行われた場合には、第２表示領域Ｒ２に表示されている第２画面に関わらず、予め設定されている初期表示画面に切り替える。
【００３６】
次に、図３を用いて他の表示例の一例について説明する。ＣＰＵ１０１（表示制御手段）は、複数の選択タブ１０（選択手段）のいずれかに対して所定の動作が行われると、図３に示されるように複数の選択タブ１０全ての機能の説明を、複数の選択タブ１０それぞれの近傍に表示する。所定の動作の具体例として、選択タブ１０のいずれかが長押しされることが挙げられる。つまり、ＣＰＵ１０１（表示制御手段）は、選択タブ１０のいずれかが長押しされた場合、選択タブ１０全ての機能の説明を、それぞれ対応する選択タブ１０の近傍に表示させる。したがって、従業員が選択タブ１０のいずれか（図３では、選択タブ１０−６）を長押しした場合、ＣＰＵ１０１は表示部１０４に表示されている選択タブ１０（図３では、選択タブ１０−１〜１０−６）の全ての機能の説明を、それぞれ対応する選択タブ１０の近傍（例えば、左側）に表示させる。選択タブ１０は、第２表示領域Ｒ２に表示する第２画面にそれぞれ対応付けられているため、各選択タブ１０の機能の説明として、それぞれ押下状態である場合に第２表示領域Ｒ２に表示される第２画面についての説明が表示される。図３では、選択タブ１０全ての機能の説明として、説明表示１１（１１−１〜１１−６）が表示されている。説明表示１１は、選択タブ１０の機能を説明するための文字列を含む表示である。例えば、選択タブ１０−１に対応付けられている第２画面がラベル発行に関する機能を設定するための画面であった場合、当該選択タブ１０の近傍に設定画面であることを示す文字列（例えば、“ファンクション”というような文字列）が表示される。
このように、選択タブ１０のいずれかに対して所定の動作が行われると、各選択タブ１０の機能の説明が表示される。そのため、従業員は、一見して各選択タブ１０によってどの画面に切り替わるのか把握することができる。
【００３７】
次に、図４を用いて初期表示画面の設定方法について説明する。
まず、ラベル発行装置１００は、従業員の操作に応じて表示部１０４の表示画面を図４に示されるような機能設定画面に切り替える。つまり、図４に示すような設定モードに所定の操作により入る。機能設定画面の第１表示領域Ｒ１の第１画面には商品情報が表示されず、第２表示領域Ｒ２の第２画面には選択タブ１０が表示される。次に、従業員は、表示部１０４に表示された機能設定画面から初期表示画面の選択を行う。具体的には、従業員は、初期表示画面として設定する第２画面に対応する選択タブ１０を複数の選択タブ１０の中から選択する。つまり、表示部１０４に機能設定画面（第１画面に商品情報が表示されていない画面）が表示されている場合、選択タブ１０は初期表示画面を選択するためのボタンとして機能する。この際、従業員は、発行するラベルのイメージデータが表示される第２画面に対応する選択タブ１０を選択する。上述したように、同一の選択タブ１０が押下された場合であっても、選択タブ１０は、設定モードでは初期表示画面を選択するためのタブとして機能し、発行モードでは単に第２表示領域Ｒ２に表示する第２画面を選択するタブとして機能する。
【００３８】
ＣＰＵ１０１（設定手段）は、第２表示領域に表示され得る複数種類の第２画面のうち、選択タブ１０によって選択可能ないずれかの第２画面を初期表示画面として設定する。つまり、ＣＰＵ１０１（設定手段）は、従業員によって選択された選択タブ１０に対応する第２画面を初期表示画面として設定する。例えば、ＣＰＵ１０１（設定手段）は、発行するラベルのイメージデータが表示される第２画面を初期表示画面に設定する。設定された初期表示画面の情報は、ＲＡＭ１０３に記憶されてもよいし、不図示のハードディスクに記憶されてもよい。また、機能設定画面は、図４に示した画面に限定される必要はない。例えば、機能設定画面は、第１画面に商品情報が表示されず、第２表示領域Ｒ２に選択タブ１０が表示されている画面であればどのような画面であってもよい。
以上で、初期表示画面の設定方法についての説明を終了する。
【００３９】
図５は、本発明における画面切り替えの処理の流れを示すフローチャートである。なお、図５の説明では、予め初期設定画面が設定されている場合を例に説明する。
ステップＳ１０：ＣＰＵ１０１は、従業員からラベル発行の対象となる商品の選択を受け付ける。従業員によって商品の選択がなされると、ステップＳ１２の処理に進む。
ステップＳ１２：ＣＰＵ１０１は、選択された商品の情報を表示部１０４に表示させる。その後、ステップＳ１４の処理に進む。
【００４０】
ステップＳ１４：ＣＰＵ１０１は、選択タブ１０が押下されたか否か判定する。選択タブ１０が押下された場合、ステップＳ１６の処理に進む。一方、選択タブ１０が押下されていない場合、ステップＳ１８の処理に進む。
ステップＳ１６：ＣＰＵ１０１は、第２画面に表示されている複数の選択タブ１０のうち、ステップＳ１４の処理で押下された選択タブ１０に応じて表示部１０４の第２表示領域Ｒ２の表示を切り替える。具体的には、ＣＰＵ１０１は、押下された選択タブ１０を押下状態に切り替えるとともに、第２表示領域Ｒ２に表示する第２画面を、押下された選択タブ１０に対応する第２画面に切り替える。その後、ステップＳ１４の処理に戻る。
【００４１】
ステップＳ１８：ＣＰＵ１０１は、商品の変更操作が行われたか否か判定する。具体的には、ＣＰＵ１０１は、ラベル発行の対象となる商品の選択が行われたか否か判定する。商品の変更操作が行われた場合、ステップＳ２０の処理に進む。一方、商品の変更操作が行われていない場合、ステップＳ２２の処理に進む。
ステップＳ２０：ＣＰＵ１０１は、第１画面に表示されている商品情報を変更するとともに、現時点で第２画面に表示されている画面を初期表示画面に切り替える。その後、ステップＳ２２の処理に進む。
【００４２】
ステップＳ２２：ＣＰＵ１０１は、ラベル発行の操作がなされたか否か判定する。ラベル発行の操作がなされた場合、すなわち、従業員によってラベル発行キーが押下された場合、ステップＳ２４の処理に進む。一方、ラベル発行の操作がなされていない場合、ステップＳ１４の処理に戻る。
ステップＳ２４：ＣＰＵ１０１は、ラベルを発行するように印刷部１０６を制御する。印刷部１０６は、ＣＰＵ１０１の制御に従ってラベルを発行する。
【００４３】
以上のように構成されたラベル発行装置１００によれば、商品情報の変更が行われると、第２表示領域に表示される第２画面を初期表示画面に切り替えることができる。したがって、第１画面に表示される商品情報が何度切り替わったとしても、最も多く使用される画面が初期表示画面として設定されている場合には第２画面に表示される。これにより、新たな商品のラベルを発行しようとした場合に、最も多く使用される画面に切り替える手間を軽減することができる。そのため、画面の切り替えによる煩わしさを軽減させることが可能になる。
【００４４】
また、ラベル発行装置１００は、表示画面上に複数の画面（本実施形態では、第１画面及び第２画面）を配置する複数の領域（本実施形態では、第１表示領域及び第２表示領域）を有する。したがって、第２表示領域に表示されている第２画面によらず、第１画面を操作するだけで商品情報の変更を行うことができる。そのため、商品情報の切り替えを迅速に行うことが可能になる。
【００４５】
＜変形例＞
画面切り替え領域Ｒ３には、それぞれの第２画面において選択タブ１０が６つ表示されているが、選択タブ１０の表示は７つ以上であってもよいし、５つ以下であってもよい。
本実施形態では、画面切り替え領域Ｒ３が第２画面の右側に設けられているが、画面切り替え領域Ｒ３は第２画面の左側に設けられてもよいし、第２画面の下端に横一列で設けられてもよい。
本実施形態では、表示部１０４に第１表示領域Ｒ１と第２表示領域Ｒ２とが上下に設けられている構成を示したが、第１表示領域Ｒ１と第２表示領域Ｒ２とが横並び（左右）に設けられてもよい。
本実施形態では、初期表示画面を１台の装置に対して１つ設定する構成を示したが、これに限定される必要はない。例えば、初期設定画面が品番ごとに設定されてもよい。このように構成される場合、新たに商品登録、又は、変更後の商品に基づいて第２表示領域Ｒ２に表示される初期設定画面が決定される。ＣＰＵ１０１は、第２表示領域Ｒ２に表示されている第２画面を、決定した初期設定画面に切り替える。なお、表示されている第２画面と決定した初期設定画面とが同じ画面である場合には、ＣＰＵ１０１は画面の切り替えを行わない。
本実施形態では、ラベル発行装置１００を例に説明したが、本実施形態における初期表示画面の設定処理は他の商品情報処理装置に適用されてもよい。他の商品情報処理装置とは、例えばＰＯＳ（Point Of Sales）レジスタ、会計装置、精算装置、登録装置、券売機、注文受付端末などである。
【００４６】
以上、この発明の実施形態について図面を参照して詳述してきたが、具体的な構成はこの実施形態に限られるものではなく、この発明の要旨を逸脱しない範囲の設計等も含まれる。
【００４７】
なお、本発明のラベル発行装置１００の各処理を実行するためのプログラムをコンピュータ読み取り可能な記録媒体に記録して、当該記録媒体に記録されたプログラムをコンピュータシステムに読み込ませ、実行することにより、ラベル発行装置１００の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００４８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００４９】
１００…ラベル発行装置，  １０１…ＣＰＵ，  １０２…ＲＯＭ，  １０３…ＲＡＭ，  １０４…表示部，  １０５…操作部，  １０６…印刷部
【図１】
2015152967.tif 000003
【図２】
2015152967.tif 000004
【図３】
2015152967.tif 000005
【図４】
2015152967.tif 000006
【図５】
2015152967.tif 000007